【手続補正書】
【提出日】平成23年6月10日(2011.6.10)
【手続補正１】
【補正対象書類名】明細書
【補正対象項目名】０００５
【補正方法】変更
【補正の内容】
【０００５】
請求項１に記載の発明は、画像形成後の回収物を収容する第１の収容部と、前記第１の収容部に収容された回収物を搬送する搬送部材と、遮蔽部材によって前記第１の収容部と遮蔽して設けられ、当該遮蔽部材に設けられた開口を通じて前記搬送部材によって搬送されてきた前記回収物を収容する第２の収容部と、を有する収容容器と、前記第２の収容部から外方に向かって突出して形成されると共に内部に流入した前記回収物を外部から光学的に検出するための検出部と、前記収容容器の筐体の一部をなしていると共に前記検出部を含む蓋体と、を備え、前記蓋体は、前記収容容器に対して着脱自在に構成されている、回収容器である。
【手続補正２】
【補正対象書類名】明細書
【補正対象項目名】０００６
【補正方法】変更
【補正の内容】
【０００６】
請求項２に記載の発明は、画像形成後の回収物を収容する第１の収容部と、前記第１の収容部に収容された回収物を搬送する搬送部材と、遮蔽部材によって前記第１の収容部と遮蔽して設けられ、当該遮蔽部材に設けられた開口を通じて前記搬送部材によって搬送されてきた前記回収物を収容する第２の収容部と、を有する収容容器と、前記第２の収容部から外方に向かって突出して形成されると共に内部に流入した前記回収物を外部から光学的に検出するための検出部と、前記収容容器の筐体の一部をなしていると共に前記検出部を含む蓋体と、を備え、前記蓋体は、前記収容容器に対して着脱自在で、前記第２の収容部から外すことにより前記第２の収容部内の前記検出部が露出する、回収容器である。
【手続補正３】
【補正対象書類名】明細書
【補正対象項目名】０００７
【補正方法】変更
【補正の内容】
【０００７】
請求項３に記載の発明は、請求項１又は２に記載の回収容器において、前記第１の収容部は、互いに着脱自在な第１の筐体と第２の筐体とで構成されている。
【手続補正４】
【補正対象書類名】明細書
【補正対象項目名】０００８
【補正方法】変更
【補正の内容】
【０００８】
請求項４に記載の発明は、電子写真方式で印刷媒体上に画像形成する画像形成手段と、前記画像形成の回収物を収容する回収容器と、を備え、前記回収容器は、画像形成後の回収物を収容する第１の収容部と、前記第１の収容部に収容された回収物を搬送する搬送部材と、遮蔽部材によって前記第１の収容部と遮蔽して設けられ、当該遮蔽部材に設けられた開口を通じて前記搬送部材によって搬送されてきた前記回収物を収容する第２の収容部と、を有する収容容器と、前記第２の収容部から外方に向かって突出して形成されると共に内部に流入した前記回収物を外部から光学的に検出するための検出部と、前記収容容器の筐体の一部をなしていると共に前記検出部を含む蓋体と、を備え、前記蓋体は、前記収容容器に対して着脱自在に構成されている、画像形成装置である。
【手続補正５】
【補正対象書類名】明細書
【補正対象項目名】０００９
【補正方法】変更
【補正の内容】
【０００９】
請求項４に記載の発明は、電子写真方式で印刷媒体上に画像形成する画像形成手段と、前記画像形成の回収物を収容する回収容器と、を備え、前記回収容器は、画像形成後の回収物を収容する第１の収容部と、前記第１の収容部に収容された回収物を搬送する搬送部材と、遮蔽部材によって前記第１の収容部と遮蔽して設けられ、当該遮蔽部材に設けられた開口を通じて前記搬送部材によって搬送されてきた前記回収物を収容する第２の収容部と、を有する収容容器と、前記第２の収容部から外方に向かって突出して形成されると共に内部に流入した前記回収物を外部から光学的に検出するための検出部と、前記収容容器の筐体の一部をなしていると共に前記検出部を含む蓋体と、を備え、前記蓋体は、前記収容容器に対して着脱自在で、前記第２の収容部から外すことにより前記第２の収容部内の前記検出部が露出する、画像形成装置である。
【手続補正６】
【補正対象書類名】明細書
【補正対象項目名】００１０
【補正方法】変更
【補正の内容】
【００１０】
請求項１，２，４，５に記載の発明によれば、第２の収容部内の検出部の内側の部分を露出させて掃除することができる。
【手続補正７】
【補正対象書類名】明細書
【補正対象項目名】００１１
【補正方法】変更
【補正の内容】
【００１１】
請求項３に記載の発明によれば、第１の収容部内を露出させて掃除することができる。
【手続補正８】
【補正対象書類名】特許請求の範囲
【補正対象項目名】全文
【補正方法】変更
【補正の内容】
【特許請求の範囲】
【請求項１】
画像形成後の回収物を収容する第１の収容部と、前記第１の収容部に収容された回収物を搬送する搬送部材と、遮蔽部材によって前記第１の収容部と遮蔽して設けられ、当該遮蔽部材に設けられた開口を通じて前記搬送部材によって搬送されてきた前記回収物を収容する第２の収容部と、を有する収容容器と、
前記第２の収容部から外方に向かって突出して形成されると共に内部に流入した前記回収物を外部から光学的に検出するための検出部と、
前記収容容器の筐体の一部をなしていると共に前記検出部を含む蓋体と、
を備え、
前記蓋体は、前記収容容器に対して着脱自在に構成されている、
回収容器。
【請求項２】
画像形成後の回収物を収容する第１の収容部と、前記第１の収容部に収容された回収物を搬送する搬送部材と、遮蔽部材によって前記第１の収容部と遮蔽して設けられ、当該遮蔽部材に設けられた開口を通じて前記搬送部材によって搬送されてきた前記回収物を収容する第２の収容部と、を有する収容容器と、
前記第２の収容部から外方に向かって突出して形成されると共に内部に流入した前記回収物を外部から光学的に検出するための検出部と、
前記収容容器の筐体の一部をなしていると共に前記検出部を含む蓋体と、
を備え、
前記蓋体は、前記収容容器に対して着脱自在で、前記第２の収容部から外すことにより前記第２の収容部内の前記検出部が露出する、
回収容器。
【請求項３】
前記第１の収容部は、互いに着脱自在な第１の筐体と第２の筐体とで構成されている、請求項１又は２に記載の回収容器。
【請求項４】
電子写真方式で印刷媒体上に画像形成する画像形成手段と、
前記画像形成の回収物を収容する回収容器と、
を備え、
前記回収容器は、
画像形成後の回収物を収容する第１の収容部と、前記第１の収容部に収容された回収物を搬送する搬送部材と、遮蔽部材によって前記第１の収容部と遮蔽して設けられ、当該遮蔽部材に設けられた開口を通じて前記搬送部材によって搬送されてきた前記回収物を収容する第２の収容部と、を有する収容容器と、
前記第２の収容部から外方に向かって突出して形成されると共に内部に流入した前記回収物を外部から光学的に検出するための検出部と、
前記収容容器の筐体の一部をなしていると共に前記検出部を含む蓋体と、
を備え、
前記蓋体は、前記収容容器に対して着脱自在に構成されている、
画像形成装置。
【請求項５】
電子写真方式で印刷媒体上に画像形成する画像形成手段と、
前記画像形成の回収物を収容する回収容器と、
を備え、
前記回収容器は、
画像形成後の回収物を収容する第１の収容部と、前記第１の収容部に収容された回収物を搬送する搬送部材と、遮蔽部材によって前記第１の収容部と遮蔽して設けられ、当該遮蔽部材に設けられた開口を通じて前記搬送部材によって搬送されてきた前記回収物を収容する第２の収容部と、を有する収容容器と、
前記第２の収容部から外方に向かって突出して形成されると共に内部に流入した前記回収物を外部から光学的に検出するための検出部と、
前記収容容器の筐体の一部をなしていると共に前記検出部を含む蓋体と、
を備え、
前記蓋体は、前記収容容器に対して着脱自在で、前記第２の収容部から外すことにより前記第２の収容部内の前記検出部が露出する、
画像形成装置。